(57)【要約】      （修正有）【課題】コンパクトで、香炉灰に燃え残る残香を手軽に除去する香炉清浄器を提供する。【解決手段】香炉Ａ中に燃え残る残香Ｃを香炉灰上面Ｄへ集香するための集香器１と、集香した残香Ｃの分離をする分離器２との組み合わせによって、香炉灰Ｂの飛散を抑制し防塵化を図る。前記集香器１は、香炉灰Ｃに低負荷の太さで、香炉Ａの隅々まで届く長さの針部材を複数で構成する。前記針部材の針先端部は、先細りで針先端を丸くし、くの字に折り曲げ形成する。複数の針部材は各間隔のスリット幅を適幅に保ち順列に構成して、折り曲げた針先端部を針部材の順列方向に対して直立の上向きにして摘み部材に構成する。【選択図】図４
2013085942.tif 000002
【特許請求の範囲】
【請求項１】
香炉内に燃え残る残香を香炉灰上面に寄せ集めてすくい取る集香器と、前記すくい取った残香と残香にまつわり付く香炉灰を分離する分離器の組み合わせによる香炉清浄器。
【請求項２】
前記請求項１の集香器は、針先端に向かって先細る複数の針部材の先端部をくの字に折り曲げ、板状の摘み部材の下端側面に間隔を保ち順列で櫛状に設けたことを特徴とする香炉清浄器の集香器。
【請求項３】
前記請求項１の分離器は、上蓋部材、分離筒部材、本体筒部材とを嵌合するように構成し、前記分離筒部材の横断面には、残香と、残香にまつわり付く香炉灰を分離する金網を設けたことを特徴とする分離器。
【請求項４】
請求項３に記載の分離器の本体筒部材には、底面を略半円球面に形成し内面を滑らかにしたことを特徴とする分離器。
【請求項５】
請求項３に記載の分離器は、上蓋部材と分離筒部材の勘合面と分離筒部材と本体部材の勘合面に軟質でリング状のシール部材を設け、分離器内部の気密性を高めて香炉灰の外部噴出を防止したことを特徴とする分離器。
【請求項６】
請求項２に記載した摘み部材には、前記下端側面の針部材と反対の上部にＶ字の溝を形成して、上端部長辺角に連続した凹凸面を形成し、香炉灰上面に前記凹凸面を当接移動し、香炉上面に波紋の紋様を描いて、香炉の美化向上したことを特徴とする香炉清浄器。
【発明の詳細な説明】
【技術分野】
【０００１】  本発明は、お仏壇用香炉の香炉灰清浄用具に関するものである。香炉内に燃え残る残香（お線香）の集香と香炉上面の美化に関する集香器と、残香を分離す分離器からなる香炉清浄器に関する。
【背景技術】
【０００２】  お仏壇のお線香立には、お線香を立てる度に香炉灰の中に燃え残りが増えて、立てようとするお線香が香炉灰の中の残香に触れたり、残香が更に増えてしまうと、お線香が立てられなくなり心良くありません。この燃え残りの残香を取り除くのには、ふるいや、茶漉し等を使いますが、この時、香炉内の灰が飛散し埃となって周りを汚します。香炉内にお箸や指先を差し込んで残香をつまみ出す方法も有るが、きれいに取除くのが難しく手間取ります。なお、指を差し込むと、指先が汚れてしまいます。蓋を取って、香炉の灰を静かに全部移入し、蓋を閉めてシャカシャカと振る、筒状の専用の灰処理器もあり、作業はとても簡単ですが、香炉灰を全部出し入れする作業時には、香炉灰に大きな負荷が加わり反動で粉塵が飛散するので、室内での作業には問題があります。【０００３】  以下図１０に示す従来の香炉の清掃方法は、大き目のフルイに香炉を逆さにしながら灰を入れるか、小さめの茶こしですくいとり、フルイや茶こしを振動させます。この時ふるいや茶こしから灰が埃となって飛散します。一度に残香を分離できる大きめなフルイは、誇りを多量に拡散するので室内では埃になって問題です。図１１〜図１２に示す箸や指を香炉に差し込んで取り除くのも、香炉内の残香を探しながら掴み集めるため、手間が掛かり作業の効率がよくないのと、摘んだ残香にまつわる香炉灰が香炉外にこぼれたりして周辺を汚します。  図１３〜図１４に示す専用の灰処理器は、残香の分離時には蓋をしているので灰は飛散することはないが、香炉の灰を全部出し入れするので、灰の移動をいくら静かに行っても入れ替え時の灰に大きな負荷が加わり、その反動で灰は室内を飛散し粉塵となって周囲を汚してしまい、室内での作業には問題がある。
【先行技術文献】
【特許文献】
【０００４】
【特許文献１】  特開０１０−３１７号広報
【発明の概要】
【発明が解決しようとする課題】
【０００５】  本発明は、香炉灰の飛散を抑え、室内で香炉の清浄化と美化を手軽に行える器具を提供する。
【発明が解決するための手段】
【０００６】  前記課題を解決するため本発明は以下の構成である。
【０００７】  香炉内に燃え残る残香を香炉灰上面に寄せ集めてすくい取る集香器と、前記すくい取った残香と残香にまつわり付く香炉灰を分離する分離器の組み合わせによる香炉清浄器である。
【０００８】  前記記載の集香器は、針先端に向かって先細る複数の針部材の先端部をくの字に折り曲げ、板状の摘み部材の下端面に間隔を保って順列で櫛状に設けたことを特長とする香炉清浄器の集香器である。
【０００９】  ０００７記載の分離器は、上蓋部材、分離筒部材、本体筒部材とを嵌合するように構成し、前記分離筒部材の横断面には、残香と、残香にまつわり付く香炉灰を分離する金網を設けたことを特徴とする分離器である。
【００１０】  前期記載の分離器の本体筒部材には、底面を略半球凹型底面に形成し内面を滑らかにしたことを特徴とする分離器である。
【００１１】  前記記載の分離器は、上蓋部材と分離筒部材の勘合面と分離筒部材と本体筒部材の勘合面に軟質でリング状のシール部材を設け、分離器内部の気密性を高めて香炉灰の外部噴出を防止したことを特徴とする分離器である。
【００１２】  ０００８項に記載した摘み部材には、前記下端側面の針部材と反対の摘み部材の上部にＶ字の溝を形成して、上端部長辺角に連続した凹凸面を形成し、香炉灰上面に前記凹凸面を当接移動し、香炉上面に波紋の紋様を描いて、香炉の美化向上したことを特徴とする香炉清浄器である。
【発明の効果】
【００１３】  本発明は、香炉内に燃え残る残香を香炉灰上面にまとめて集香し、残香にまつわりつく香炉灰と一緒にすくい取る集香器と、前記すくい取った残香と香炉灰を分離するための金網を設けた筒部材からなる分離器との組み合わせによって、香炉清浄を容易化し、そして香炉灰の飛散を抑制することにより室内の汚れを防止する効果がある。
【００１４】  前記記載の集香器は、複数の針部材を応用することで、前記残香の集香作業にあたり針部材が香炉灰への負荷を和らげて香炉灰の飛散を抑制する。前記複数の針部材は、針先端に向かって先細る先端部をくの字に折り曲げ、前記板状の摘み部材の下端側面に間隔を保って順列の櫛状に設けることにより、粉塵の抑制と作業効率の向上効果がある。
【００１５】  前記記載の分離器は、蓋部材と中段の分離筒部材と本体筒部材を嵌合しあって重なるよう構成し、中段の分離筒部材には円周内側面に内向きの溝を形成し、前期溝に嵌着する金網材を設ける。前記金網は、お線香の通り抜けがしないで開口率の高い金網を使用し香炉灰の通り抜けを最良にし、そして前記金網は扁平でも良いが凹型に形成することによって、側面からも香炉灰が通り抜け出来るようにすることによって、香炉灰の分離作業効率向上の効果がある。
【００１６】  前記記載の金網に移入した残香と残香にまつわる香炉灰は、分離筒部材の上蓋をのせてから、分離器本体を手に持って左右に軽く振ると、略半球凹型底面に集灰するが、一部の香炉灰は分離器筒内で飛翔飛散し外部に漏出しようとする、そこで、蓋部材と分離筒部材、分離筒部材と本体筒部材の各嵌合接続部に、ゴム等の軟質のシール材を設けることにより香炉灰の漏出を抑止する。そして、前記分離器内部の香炉灰の一部は、しばらく飛翔するが、分離する香炉灰が香炉灰の全体量に対して僅かなので、次回の作業の始まりまで放置して香炉に戻せば問題がなく、その間に分離器筒内の飛翔分離灰が完全に収束することにより、室内の汚れを防止する効果がある。
【００１７】  前記記載分離器の本体筒部材は、底面を略半円球に形成し内面を滑らかに仕上げて、前記香炉の香炉灰上面に本体筒口を添えながら適宣速度で傾倒すことにより、前記底面に収束した分離灰は拡散することなくスムーズに香炉に戻り、室内での作業を全て可能化する。
【００１８】  前記００１４項に記載した摘み部材には、針部材を設置する下端面と反対側の上部面にＶ字型の切込みを入れて、上部長辺角にＶ字切込みによる連続した凹凸面を形成する。香炉灰上面には、前記集香器の針部材を斜めに指で摘み、そして、摘み部材の凹凸面を適圧当接したまま香炉を廻し、波紋の紋様を描くことにより、香炉上面を綺麗にすることが出来る。前記針部材１の先端部１ｃは丸みを施し安全性も図る。
【図面の簡単な説明】
【００１９】
【図１】焼香炉清浄器の集香器斜面図
【図２】香炉清浄器の集香器側面図
【図３】焼香炉清浄器の分離器斜視図（一部断面透視図）
【図４】香炉灰の中に集香器の針先を差した状態を示す図
【図５】残香と残香にからむ香炉灰を集香器の針先に載せる状態を示す図
【図６】分離器に残香と残香にからむ香炉灰の移入状態を示す図（一部透視図）
【図７】分離器で残香と香炉灰を分離している状態を示す図
【図８】分離器本体筒部の香炉灰を香炉へ戻す状態を示す図
【図９】香炉灰上面の波紋を形成する状態を示す図
【図１０】従来のふるいによって残香を分離する状態を示す図
【図１１】従来のお箸による残香を取り出す状態を示す図
【図１３】従来の分離器による残香の分離状態を示す図
【図１４】従来の分離器による香炉灰を香炉に入れ戻す状態を示す図
【発明を実施するための最良の形態】
【実施例１】
【００２０】  図１〜図２は本発明の香炉清浄器の集香器１を示し、図１は集香器の斜図で、図２は集香器の正面図、図３は本発明の実施形態に係る実施例１の香炉清浄器の分離器２を示し、図３は分離器斜視図（一部断面透視図）、４図〜９図は本発明による実施状態を斜図で示した。【００２１】  図１、図２に示す香炉清浄器の集香器１は、図４に示すように香炉Ａの中の香炉灰Ｂに燃え残るお線香の残香Ｃを、香炉灰Ｂの上面Ｄに寄せ集めるため針部材１を、香炉底に届く長さで、針先端部１ａが先細っていて、その針先端１ｂに丸みを形成し、そして針先端部１ａを曲析点１ｃでくの字に折り曲げ形成する。これらの前記針部材１の複数の針部材１ｄ〜１ｋは、各間隔のスリット幅Ｅを敵幅に保ち順列にし、前記折り曲げた針先端部１ａを針部材１ｄ〜１ｋの順列方向に対して直立の上向きに揃えて摘み部材２の下端側面２ａに構成してある。【００２２】  前記００２１に記載した針部材１は、太さが０．５ｍｍ〜１ｍｍの硬質材で、針先端部１ａが先細っていて針先端１ｂに丸みを設け、香炉Ａの底面に届く４ｃｍ〜５ｃｍの長さからなる。前記針先端部１ａは針先端１ｂから曲析点１ｃまでの長さが略６ｍｍ〜１０ｍｍで、折り曲げ角∠αは３０°〜６０°の角度範囲から統一した角度でくの字に折り曲げてある。【００２３】  前記記載の集香器１の板状の摘み部材２は、縦幅６ｃｍ×横幅５ｃｍ厚みが５ｍｍほどの硬質プラスチック、木質、軽金属等の板材である。前記摘み部材２の下端側面２ａには、前記針部材１を設置する固着部２ｂを形成する、前記固着部は穴径が１ｍｍで深さ５〜７ｍｍ、穴と穴を４ｍｍ〜５．５ｍｍの間隔で順列の状態に８〜１０箇所設ける、そしてこの前記針固着部２ｂには、前記針部材１の針元１１を固着し、針部材１ｄ〜１ｋの各々のスリット幅Ｅ（Ｅａ・Ｅｂ）が３．５ｍｍ〜４．５ｍｍに、そして前記針部材１ｄ〜１ｋの針先端部１ａは、前記針部材１の順列方向に対し直立の上向きに揃えて構成してある。【００２４】  図３に示す香炉清浄器の分離器２は、上蓋部材４と分離筒部材５と、本体筒部材６で構成する、前記部材の素材は、木製、プラスチック、軽金属等を切削加工する。前記分離器２の分離筒部材５の寸方は、外径８０ｍｍ、高さ２０ｍｍ、最小内径６５ｍｍで内周面に内向きの金網嵌着溝５ａを、前記筒部材５の上下中心か中心より下方に設けて、前記金網嵌着溝５ａに金網７の金網縁部７ａを嵌着する。前記残香Ｃａと残香にまつわる香炉灰Ｂａを、前期金網７に移入するとき、分離筒部材５の筒上部５ｂが金網７のつばとなって香炉灰の飛散を抑制することが出来る。前記金網７は網目が１０〜１２メッシュで針金が一番細く開口率の広い金網により、中央部の金網凹部７ｂを内径４５ｍｍ深さ２０〜３０ｍｍ前後で形成し、金網縁部７ａを略７ｍｍで水平に形成する。前記金網７は扁平でも可能では有るが、金網凹部７ｂを形成して金網７の側面からも分離効率を上げることが出来る。【００２５】  前記記載分離器２の本体筒部材６は、外径を前記分離筒部材５より２〜３ｍｍ程細い７８ｍｍ、高さを６０ｍｍ、内径６８ｍｍで、略半球凹型底面６ａを深さ５０ｍｍに形成し、内面は滑らかに加工する。【００２６】  前記記載蓋部材４の内面円周に��って下向きのシール材を嵌着する溝部４ａを、幅４ｍｍ深さ３ｍｍで形成し、前記分離筒部材５にも内面円周に沿って下向きの溝部５ｂを、幅４ｍｍ深さ３ｍｍに形成し、前記溝部４ａと５ｂにリング状で弾力の有るゴム製のシール部材８ａと８ｂを嵌着する。【００２７】  前記００２１項に記載の摘み部材２には、針固着部２ｂと反対の上部表長辺角２ｃを頂点とする連続した頂点凸部２ｄを、前記長辺角２ｃより下部にＶ字溝始点を示す破線２ｄより、上部裏長辺角２ｅに向かってＶ字型の切り込み溝２ｆを切削形成する。前記破線２ｄと上部長辺角２ｃの長さβは１５ｍｍ前後で、Ｖ字型の切り込み角度は７０°前後にして、前記長辺角２ｃにＶ字切り込み溝２ｆによる頂点凸部（山）２ｄを略４．５ｍｍ間隔で１２個前後形成する。【００２８】  前記記載清浄器の集香器１は、香炉Ａの中の香炉灰Ｂに燃え残る残香Ｃを香炉灰上面に集香するために、図４の実施状態の図で示すように前期摘み部材２を指先で摘み、針部材１の針先端１ｂから香炉の底に向かって差込み、摘み部材２を適宣方向に移動しながら、残香Ｃに前記針部材１のくの字に折り曲げた針先端部１ａを絡めながら、図５の実施状態の図に示すように、残香Ｃを香炉灰上面Ｄに残香Ｃａとして集香することが出来る。【００２９】  前記図５で示した香炉灰上面Ｄに集香した残香Ｃａは、前記集香器の針部材前部１ｍで残香Ｃａにまつわる香炉灰Ｂａと一緒にすくい取り、図６の実施状態の図に示すように、前記香炉清浄器２の分離筒部材５の金網７に移入する。香炉灰上面Ｄに取り残った残香は、集香器１のすくい取る方向を変えながら繰り返して前期金網７に移入する。【００３０】  前記６図で示した金網７に移入した残香Ｃａとまつわりつく香炉灰Ｂａは、図７の実施状態の図に示すように、前記分離筒部材５に前記上蓋部材４をのせて、前記分離器２を手に持ち３〜４回ほど適宣方向に振る。このとき香炉灰Ｂａは分離器２の内部を飛翔するが、上蓋部材４と分離筒部材５に嵌着したリング状のシール部材８ａ、８ｂにより分離器１からの漏出を抑え、残香Ｃａは金網７に残り、香炉灰Ｂａは本体筒部材６の略半球凹型底面６ａに分離灰Ｂｂとして分離することが出来る。【００３１】  前記分離器２で分離する残香Ｃｂと香炉灰Ｂｂは、前記分離作業により分離灰Ｂａが分離器２筒内部を暫らく飛翔するので、次回の香炉清浄作業まで放置する。次回香炉清浄作業時に金網７に残る残香Ｃａが少量のときは次回にまとめて廃棄しても良く、略半球凹型底部７ａに収束させた分離灰Ｂｂは、図８の実施状態の図に示す本体筒部材口６ｂを前記香炉灰上面Ｄに添えるようにしながら適速傾倒すると、滑らかな略半円球底部７ａから粉塵を飛散することなく静かに香炉Ａに戻すことが出来る。【００３２】  前記分離器２の分離作業よって、もし分離する残香Ｃａに火種が残っていても、金網７の金網凹部７ｂに放置されることにより、残香Ｃａの火種は消えて火災予防も図ることが出来る。【００３３】  図９の作業形態で示すろくろＦに乗せた香炉Ａの香炉灰上面Ｄには、前記集香器の針部材１を斜め適角に指先で摘んで、摘み部材２のＶ字切り込みによる凹凸面２ｇを適圧当接したまま、香炉Ａを矢印Ｇの方向に２回転前後回すことによって、香��灰上面に波紋の模様Ｈを描いて香炉の美化を図ることが出来る。前記作業において前記針先端１ｂには丸みを形成してあるので、針先端１ｂによる指先への負傷を防止することが出来る。【００３４】  なお、本発明は、上記記載した実施例に限定されるものではなく本発明の要旨を、逸脱しない範囲において種々変更が出来る。例えば、以下のものも含まれる。
前記実施例で示した形状、大きさ材質は一例であり変更しても良い。
製作法も切削加工でなく、樹脂加工機による型流し成型でも良い。
【発明の効果】
【００３５】  本発明により、仏壇に供える香炉の清浄化を室内の汚れを心配することなく手軽に執り行えて、更に、香炉上面に綺麗な波紋を描き、常々にこの美化した香炉に向かって焼香することによって、焼香する人々の心を癒してさわやかにすることが出来る。
【符号の説明】
【００３６】  １  針部材
１ａ  くの字に折り曲げた針先端部
∠α  針先端部の曲げ角度
２  摘み部材
３  櫛状の針
β  Ｖ字溝の長さ
４  分離器の上蓋部材
５  分離器の分離筒部材
６  分離器の本体部材
７  金網
８ａ  分離筒部材用シール部材
８ｂ  上蓋部材用シール部材
Ａ  香炉
Ｂ  香炉灰
Ｃ  燃え残りの残香
Ｄ  香炉灰上面
Ｅ  針材間のスリット幅
Ｆ  ろくろ
Ｇ  ろくろの回転方向を示す矢印
Ｈ  描かれた波紋
【図１】
2013085942.tif 000003
【図２】
2013085942.tif 000004
【図３】
2013085942.tif 000005
【図４】
2013085942.tif 000006
【図５】
2013085942.tif 000007
【図６】
2013085942.tif 000008
【図７】
2013085942.tif 000009
【図８】
2013085942.tif 000010
【図９】
2013085942.tif 000011
【図１０】
2013085942.tif 000012
【図１１】
2013085942.tif 000013
【図１２】
2013085942.tif 000014
【図１３】
2013085942.tif 000015
【図１４】
2013085942.tif 000016
【手続補正書】
【提出日】平成23年12月1日(2011.12.1)
【手続補正１】
【補正対象書類名】明細書
【補正対象項目名】００１９
【補正方法】変更
【補正の内容】
【００１９】
【図１】焼香炉清浄器の集香器斜面図
【図２】香炉清浄器の集香器側面図
【図３】焼香炉清浄器の分離器斜視図（一部断面透視図）
【図４】香炉灰の中に集香器の針先を差した状態を示す図
【図５】残香と残香にからむ香炉灰を集香器の針先に載せる状態を示す図
【図６】分離器に残香と残香にからむ香炉灰の移入状態を示す図（一部透視図）
【図７】分離器で残香と香炉灰を分離している状態を示す図
【図８】分離器本体筒部の香炉灰を香炉へ戻す状態を示す図
【図９】香炉灰上面の波紋を形成する状態を示す図
【図１０】従来のふるいによって残香を分離する状態を示す図
【図１１】従来のお箸による残香を取り出す状態を示す図
【図１２】従来の指先による残香を取り出す状態を示す図
【図１３】従来の分離器による残香の分離状態を示す図
【図１４】従来の分離器による香炉灰を香炉に入れ戻す状態を示す図